(57)【特許請求の範囲】
【請求項１】
柱状で、本体底面及び前記本体底面に対して立設される本体側面を備える本体部と、前記本体部の前記本体側面に露出するように周方向に間隔をあけて複数、かつ、縦方向に間隔をあけて複数設けられ、電気機器が電気的に接続される接続部と、前記各接続部を外部電源に電気的に接続する給電手段と、を備え、
前記本体底面には上向きに窪む凹部が形成され、
前記給電手段は、前記複数の接続部を電気的に接続する回路部と、一方の端部が該回路部に電気的に接続され、他方の端部が外部電源に電気的に接続可能に構成される索状の電源コードと、を備え、
前記電源コードは、前記凹部の上側の底から下向きに延設され、
前記本体部は、前記本体底面の外縁から径外方向に突設される足部を備え、
前記足部は、前記本体部の周方向に離隔して複数設けられ、
前記足部は、前記本体底面の外縁から出退可能である電気接続機器。
【請求項２】
前記本体部は、前記接続部が設けられる接続本体部と、前記接続本体部の下方に設けられ、前記本体底面を備える土台部と、を備え、
前記凹部は、前記本体底面の中央部分に形成され、
前記本体底面は、前記本体底面を下向きにして前記本体部を載置するための載置平面を前記凹部の周りに備え、
前記載置平面には、前記凹部の外縁から前記載置平面の外縁までに亘って前記電源コードを通せる程度の大きさのコード溝部が凹設されるよう構成される請求項１に記載の電気接続機器。
【請求項３】
前記足部は、前記本体部の周方向に離間して少なくとも３つ設けられる請求項１又は２に記載の電気接続機器。
【請求項４】
前記本体部は、前記接続部が設けられる接続本体部と、前記接続本体部の下方に設けられ、前記本体底面を備える土台部と、を備え、
前記土台部は、前記接続本体部の外径よりも外径が大きく形成されて底面が前記本体底面となる大径部を備え、
前記大径部に前記足部が設けられる請求項１又は２に記載の電気接続機器。
【発明の詳細な説明】
【技術分野】
【０００１】
本発明は、電気機器を電源に接続する電気接続機器に関する。
【背景技術】
【０００２】
従来、電気接続器具として、特許文献１に記載のテーブルタップが知られている。テーブルタップは、直方体形状の箱体である第一の器体と、第一の器体と略同じ形の箱体である第二の器体と、両器体を連結するヒンジと、を備える。具体的に、第一の器体は、第一の器体の外部に伸び、外部電源に電気的に接続される電源コードと、給電対象の電気機器のプラグが挿入される正負一対の刃受けと、電源コード及び刃受けを電気的に接続する第一の器体の内部に設けられる正負一対の導電部材と、を備え、第二の器体は、給電対象の電気機器のプラグが挿入される正負一対の刃受けと、刃受けに電気的に接続される第二の器体の内部に設けられる正負一対の導電部材と、を備え、ヒンジは、第一の器体に備えられる導電部材及び第二の器体に備えられる導電部材を電気的に接続しつつ、両器体を回動可能に連結する。
【０００３】
上記テーブルタップによれば、第二の器体は第一の器体に対して、導電部材同士の電気的な接続を保った状態でヒンジを介して回動可能であるので、テーブルタップの形態をテーブルタップの設置場所に合わせて変形させることができる。よって、テーブルタップの設置場所を制限されにくくすることができる。
【先行技術文献】
【特許文献】
【０００４】
【特許文献１】特開２００５−２５９４５２号公報
【発明の概要】
【発明が解決しようとする課題】
【０００５】
ところで、会議などの場面では、複数の机を環状に並べて、並べた机を囲うように人が着席する場合がある。このような場合にあっては、並べた机の中央部分、即ち、机と机の間にテーブルタップを配置して使用することがある。
【０００６】
しかしながら、特許文献１に記載のようなテーブルタップを机と机の間に配置した場合には、電源コードが机の上を這うようにテーブルタップを配置する必要があるため、電源コードが邪魔になることがあった。
【０００７】
そこで、本発明は、電源コードが邪魔になりづらい電気接続機器を提供することを目的とする。
【課題を解決するための手段】
【０００８】
本発明にかかる電気接続機器は、本体底面及び前記本体底面に対して立設される本体側面を備える本体部と、前記本体部の前記本体側面に露出するように周方向に間隔をあけて複数設けられ、電気機器が電気的に接続される接続部と、前記各接続部を外部電源に電気的に接続する給電手段と、を備え、前記本体底面には上向きに窪む凹部が形成され、前記給電手段は、前記複数の接続部を電気的に接続する回路部と、一方の端部が該回路部に電気的に接続され、他方の端部が外部電源に電気的に接続可能に構成される索状の電源コードと、を備え、前記電源コードは、前記凹部の上側の底から下向きに延設されるよう構成される。
【０００９】
かかる構成によれば、電源コードが本体底面の凹部の上側の底から延設されるので、電源コードを本体部の真下へと伸ばすことができる。よって、机と机の間に形成される隙間や机に形成された穴など、電気接続機器を載置する載置対象の上下方向に貫通した空間を覆うように本体部を載置することで、載置対象の下方に電源コードを伸ばすことができるため、電源コードが邪魔になりづらくなる。
【００１０】
また、前記本体部は、前記接続部が設けられる接続本体部と、前記接続本体部の下方に設けられ、前記本体底面を備える土台部と、を備え、前記凹部は、前記本体底面の中央部分に形成され、前記本体底面は、前記本体底面を下向きにして前記本体部を載置するための載置平面を前記凹部の周りに備え、前記載置平面には、前記凹部の外縁から前記載置平面の外縁までに亘って前記電源コードを通せる程度の大きさのコード溝部が凹設されるよう構成することもできる。
【００１１】
かかる構成によれば、載置平面にコード溝部が形成されるので、本体部を載置平面で載置し、コード溝部に電源コードを通すことで、電源コードを本体部の真下に伸ばす態様のほかに、載置平面と平行な方向にも伸ばすことができる。よって、電源コードを本体部の下に伸ばす場合でも載置平面と平行な方向に伸ばす場合でも、安定した状態で電気接続機器を使用することができる。
【００１２】
また、前記本体部は、前記本体底面の外縁から径外方向に突設される足部を備え、前記足部は、前記本体部の周方向に離隔して少なくとも３つ設けられるよう構成することもできる。
【００１３】
かかる構成によれば、本体部は、本体底面の外縁から径外方向に突設される足部を備えるので、足部を突設する分だけ本体部の底の幅を広くすることができ、机と机の間隔が広い場合や、机に形成された穴の径が大きい場合にも、足部によって本体部を支えることができる。よって、本体部を安定した状態で載置対象に載置することができる。
【００１４】
また、前記本体部は、前記接続部が設けられる接続本体部と、前記接続本体部の下方に設けられ、前記本体底面を備える土台部と、を備え、前記土台部は、前記接続本体部の外径よりも外径が大きく形成されて底面が前記本体底面となる大径部を備え、前記大径部には、該大径部の外縁から径外方向に突設される前記足部が設けられるよう構成することもできる。
【００１５】
かかる構成によれば、土台部は、大径部を備え、大径部には足部が設けられるので、本体底面の径方向の幅を大径部によって広くし、足部によってさらに広くすることができるため、本体部を安定した状態で載置対象に載置することができる。
【発明の効果】
【００１６】
本発明によれば、電源コードが邪魔になりづらい電気接続機器を得ることができる。
【図面の簡単な説明】
【００１７】
【図１】本発明の一実施形態にかかる縦型電気接続機器の正面図である。
【図２】同縦型電気接続機器の底面図である。
【図３】図２に示すＩＩＩ−ＩＩＩ断面図である。
【図４】図２に示すＩＶ−ＩＶ断面図である。
【図５】同縦型電気接続機器の使用状態を示す図である。
【発明を実施するための形態】
【００１８】
本発明の一実施形態にかかる縦型電気接続機器１について図１乃至図５を用いて説明する。
【００１９】
図１に示すように、縦型電気接続機器１は、柱上の本体部１１を縦向きにして机などに載置して使用する縦型電気接続機器１である。縦型電気接続機器１は、本体部１１と、接続部１２と、給電手段１３と、を備える。縦型電気接続機器１は、電気機器と外部電源を電気的に接続するために使用される。また、縦型電気接続機器１は、溝塞ぎ部５（図２参照）を備える。
【００２０】
本体部１１は、柱状体であり、底面である本体底面１１ａ及び、本体底面１１ａに対して立設される本体側面１１ｂを備え、本体側面１１ｂには、周方向に間隔をあけて複数の接続部１２が露出するように設けられている。また、本体部１１は、下部が上部よりも大径になるように構成されている。本実施形態で、本体部１１は、上部がストレート形状に、下部がスカート形状に、構成されている円柱体である。具体的に、本体部１１は、本体底面１１ａを備える土台部２と、土台部２の上方に設けられ、接続部１２が設けられる接続本体部３と、を備える。また、本体部１１は、本体底面１１ａの外縁から径外方向に突設される足部４を備える。さらに、本体底面１１ａは、平面部２１と、平面部２１よりも上側に窪む凹部２２と、を備える。本実施形態で、土台部２及び接続本体部３は、上下方向に略同軸に連結されている。
【００２１】
図１及び図２に示すように、土台部２は、本体部１１の底側の部分であり、本体部１１の上側の部分よりも大径になるよう構成されている。具体的に、土台部２は、底側ほど大径となるスカート形状である。即ち、土台部２は、全体が、接続本体部３の外径よりも径が大きい大径部であり、土台部２の上端部は、接続本体部３の下端部と略同径であり、土台部２の下端部（本体底面１１ａ）は、上端部よりも大径となっている。また、本実施形態において、土台部２の底面は、本体底面１１ａである。具体的に、土台部２は、土台部２の底側に設けられる土台底部２０と、土台底部２０に対して立設されるスカート形状の土台側面部２３と、を備える。
【００２２】
図２及び図３に示すように、土台底部２０は、土台部２の底側に設けられ、土台部２の底を構成する。また、土台底部２０は、本体部１１を立たせることができる載置平面２Ａが形成される平面部２１と、土台底部２０の中央部分に形成され、上向きに窪む凹部２２と、を備える。凹部２２は、平面部２１から上方に離間し、凹部２２の上側の底となる凹部上底部２２２を備える。
【００２３】
図３に示すように、凹部２２は、土台底部２０の中央部分に形成される上向きの窪みである。また、凹部２２は、平面部２１に形成される載置平面２Ａに対して上側に窪むよう形成される。本実施形態で、凹部２２は、略円形状の窪みとして形成されており、凹部２２は、上下方向に伸びる凹部側面部２２１と、凹部側面部２２１の上側に設けられ、凹部２２の上側の底を形成する凹部上底部２２２と、凹部側面部２２１及び凹部上底部２２２を連結する凹部連結部２２３と、を備える。また、凹部側面部２２１及び凹部上底部２２２によって、コード移動空間２２Ｓが画定される。さらに、凹部２２には、給電手段１３を挿通可能な穴である電源孔２２２ａが形成される。具体的に、電源孔２２２ａは、凹部２２の上側の底を形成する凹部上底部２２２に形成された穴である。本実施形態で、電源孔２２２ａは、土台部２の上下の軸心と重なるように形成されている。即ち、電源孔２２２ａは、土台部２の略中心に上下方向に貫通するように形成された穴である。
【００２４】
図２に示すように、平面部２１は、土台部２の底部分を構成する底板部である。また、平面部２１は、底側に形成された平面である載置平面２Ａを備える。さらに、平面部２１には、複数の上向きの窪みが形成される。また、平面部２１には、上下方向に貫通した穴が複数形成される。本実施形態で、平面部２１は、略円環状の板体である。具体的に、平面部２１には、上向きの窪みである足部取付溝２１０と、電源コード１３１が嵌合可能な大きさの上向きの窪みであるコード溝部２１３と、溝塞ぎ部５と嵌合可能な上向きの窪みである保持溝２１４と、が形成される。また、平面部２１には、足部取付溝２１０の上側の底である足部係止部２１２に足部取付孔２１２ａが形成される。さらに、平面部２１には、周方向に離隔して複数のねじ固定穴２１５が形成される。
【００２５】
足部取付溝２１０は、載置平面２Ａに対して上向きに窪む溝である。また、足部取付溝２１０は、足部４を取り付け可能なように形成された溝である。本実施形態で、足部取付溝２１０は、足部取付溝２１０に沿って足部４が摺動可能となるように、足部４を取り付ける。具体的に、足部取付溝２１０は、平面部２１の外縁から径内方向に沿って、上向きに窪むように凹設された溝である。本実施形態で、足部取付溝２１０は、平面部２１の外縁から内縁までにわたって凹設されている。また、足部取付溝２１０は、平面部２１の周方向の一方側及び他方側に形成される一対の摺動壁２１１と、該一対の摺動壁２１１の間に亘って設けられる足部係止部２１２と、を備える。本実施形態において、足部取付溝２１０は、平面部２１の周方向に離隔して４か所に形成されている。また、足部取付溝２１０は、平面部２１に、周方向に略等しい間隔をあけて複数形成されている。
【００２６】
摺動壁２１１には、対向する摺動壁２１１に向かって突出する突起部２１１１が設けられる。また、突起部２１１１は、摺動壁２１１に、径方向に離隔して複数設けられている。さらに、突起部２１１１は、一対の摺動壁２１１の両方に設けられている。本実施形態で、突起部２１１１は、一対の摺動壁２１１のそれぞれに４つずつ設けられている。
【００２７】
図４に示すように、足部係止部２１２は、足部４を係止可能に構成される。具体的に、足部係止部２１２は、摺動壁２１１の間に亘って延びる壁体である足部係止壁２１２１と、足部係止壁２１２１の上部に設けられる壁である足部押え壁２１２２と、を備える。また、足部係止壁２１２１には、径方向に沿って伸びる長孔である足部取付孔２１２ａが形成される。
【００２８】
図２及び図３に示すように、コード溝部２１３は、平面部２１に形成される、載置平面２Ａに対して上向きに窪む溝である。具体的に、コード溝部２１３は、電源コード１３１を通すことができる程度の大きさの溝である。また、コード溝部２１３は、平面部２１の内縁から外縁までにわたって上向きに窪むように凹設される溝である。さらに、コード溝部２１３の内縁側の端部は、凹部２２と連通するよう形成されている。本実施形態にかかるコード溝部２１３は、平面部２１の径方向に沿って伸びる溝である。
【００２９】
保持溝２１４は、溝塞ぎ部５を着脱可能に構成される。具体的に、保持溝２１４は、平面部２１に形成された窪みであり、溝塞ぎ部５を取り付け可能である。本実施形態で、保持溝２１４は、コード溝部２１３と略同じ大きさの溝であり、平面部２１の内縁から外縁に向かって上向きに凹設される溝である。
【００３０】
図２に示すように、ねじ固定穴２１５は、上下方向に連通する穴であり、平面部２１に周方向に離隔して複数形成されている。また、ねじ固定穴２１５は、長孔であり、穴の長手方向一端側と他端側とで穴の幅が異なるよう構成される。具体的に、ねじ固定穴２１５は、長手方向一端側が、幅が大きい穴である大穴部２１５ａであり、長手方向他端側が、幅が小さい穴である小穴部２１５ｂである。また、大穴部２１５ａと小穴部２１５ｂは連続するように形成されている。本実施形態において、ねじ固定穴２１５は、平面部２１の周方向に離隔して４か所に形成される、周方向に沿って伸びる長孔である。また、本実施形態において、ねじ固定穴２１５は、すべて、周方向の一方側に大穴部２１５ａが形成され、周方向の他方側に小穴部２１５ｂが形成されるよう構成されている。さらに、大穴部２１５ａは、略円形であり、小穴部２１５ｂは、略長円形である。
【００３１】
図２及び図３に示すように、凹部２２と平面部２１は、連結している。具体的に、凹部側面部２２１の下端側と平面部２１の内縁部分が連結することで、凹部２２と平面部２１は連結している。また、平面部２１に形成される足部取付溝２１０、コード溝部２１３、及び、保持溝２１４は、凹部２２に画定されるコード移動空間２２Ｓと連通している。
【００３２】
図１及び図２に示すように、足部４は、本体底面１１ａから径外方向に突設するように平面部２１に設けられる板状体である。また、足部４は、径方向に摺動可能なように平面部２１に設けられる板状体である。さらに、足部４は、足部取付溝２１０に、足部取付溝２１０に沿って摺動可能なよう取り付けられる板状体である。具体的に、図２及び図４に示すように、足部４は、板状の足部本体４１と、足部本体４１の上側に設けられる足部取付部４２と、足部本体４１の下側に設けられる滑り止め部４３と、を備える。また、足部４は、本体底面１１ａの外縁から出退可能なように平面部２１に設けられる。即ち、足部４は、足部４の径方向外側の部分が、土台部２の外縁（大径部の外縁）から突出する状態Ｊ１と、土台部２の外縁よりも内側（又は外縁と面一）に退避する状態Ｊ２と、を切り替え可能に構成される。
【００３３】
図２に示すように、足部本体４１は、略直方体形状の板状体である。また、足部本体４１は、足部取付溝２１０に嵌合可能な程度の大きさの板状体である。本実施形態において、足部本体４１は、径方向に長い板状体であり、径方向の長さは、足部取付溝２１０の径方向の長さと略同じ長さである。さらに、足部本体４１は、側面から外側に向かって突出する係合突起部４１１を備える。具体的に、係合突起部４１１は、足部本体４１の側面のうち、径方向内側寄りに設けられている。即ち、係合突起部４１１は、足部本体４１の径方向の中央よりも内側の位置に設けられている。また、足部本体４１は、径方向の中央よりも外側の位置に滑り止め部４３を取り付け可能な滑り止め取付部４１２を備えており、滑り止め取付部４１２には、上下方向に貫通する孔であるねじ挿通孔４１ａが形成されている。
【００３４】
図４に示すように、足部取付部４２は、足部本体４１の上側に設けられており、足部取付孔２１２ａに係合して足部４を足部取付溝２１０に取りつけることができるよう構成されている。また、足部取付部４２は、足部本体４１が足部取付溝２１０に沿って摺動可能なように足部４を足部取付溝２１０に取り付けることができるよう構成されている。具体的に、足部取付部４２は、足部本体４１から上側に突出する軸部４２１と、軸部４２１の上側に設けられる抜け止め部４２２と、を備える。軸部４２１は、足部取付孔２１２ａに挿通可能に構成されている。また、抜け止め部４２２は、軸部４２１を足部取付孔２１２ａに挿通した状態で、足部係止壁２１２１に係止するように構成されている。即ち、足部取付部４２は、足部取付孔２１２ａに沿って径方向に移動可能、かつ、足部係止壁２１２１に係止されて、下側への移動を規制されるように構成されている。
【００３５】
図２及び図４に示すように、滑り止め部４３は、足部本体４１の底側に設けられる滑り止めである。滑り止め部４３は、足部本体４１のうち、径方向外側寄りに設けられる。また、滑り止め部４３は、足部本体４１の滑り止め取付部４１２に取り付けられる。さらに、滑り止め部４３には、上下に貫通した穴である滑り止めねじ穴４３ａが形成されており、滑り止めねじ穴４３ａは、滑り止め部４３を滑り止め取付部４１２に取り付けた際に、ねじ挿通孔４１ａと連通するように形成される。また、滑り止め部４３は、滑り止め取付部４１２に取り付けられた際に底面４３ｂが平面部２１の載置平面２Ａと略面一になるように構成される。なお、滑り止め部４３を確実に載置対象に当接させることができる程度だけ、滑り止め部４３を載置平面２Ａよりもわずかに下方に突出させるように構成してもよい。
【００３６】
図１乃至図３に示すように、土台側面部２３は、土台部２の側面を構成する壁体である。土台側面部２３は、土台底部２０に対して立設するように設けられており、本実施形態では、土台底部２０の外縁部分を覆うように立設されている。また、土台側面部２３は、外径が接続本体部３の外径よりも大きく構成されており、本実施形態では、下側が大径となるスカート形状に構成されている。さらに、土台側面部２３には、底側に複数の切り欠きが形成されている。具体的に、土台側面部２３の底側には、土台側面部２３の底面が上側に窪むように形成される切り欠きが複数形成されている。本実施形態において、土台側面部２３には、足部用切り欠き２３ａと、コード用切り欠き２３ｂと、が形成されている。具体的に、足部用切り欠き２３ａは、足部４が嵌合可能な程度の大きさの切り欠きであり、土台側面部２３の径方向内側と外側とが連通するように形成される。また、コード用切り欠き２３ｂは、電源コード１３１が嵌合可能な程度の大きさの切り欠きであり、土台側面部２３の径方向内側と外側とが連通するように形成される。さらに、土台側面部２３は、足部取付溝２１０及び足部用切り欠き２３ａが連通し、コード溝部２１３及びコード用切り欠き２３ｂが連通するように設けられる。
【００３７】
図１に示すように、接続本体部３は、柱状体であり、本体部１１の上側の部分を構成する。また、接続本体部３は、土台部２の上方に設けられ、接続部１２が設けられる柱状体である。具体的に、接続本体部３には、複数の接続孔３ａが側面に形成され、接続孔３ａから露出する様に接続部１２が設けられている。本実施形態において、接続孔３ａは、２種類の形状で形成されている。
【００３８】
接続部１２は、接続本体部３に、周方向に間隔をあけて複数設けられている。また、接続部１２は、電気機器に電気的に接続可能なように構成される。本実施形態で、接続部１２は、コンセント１２１及びＵＳＢポート１２２を備えており、接続本体部３に形成された接続孔３ａを通じて電気機器を電気的に接続可能なように構成されている。また、本実施形態において、接続部１２は、縦方向に４段となる配列であり、下３段は、千鳥配置とされている。
【００３９】
給電手段１３は、各接続部１２を外部電源に電気的に接続する。具体的に、図１に示すように、給電手段１３は、複数の接続部１２を電気的に接続する回路部１３２と、一方の端部が回路部１３２に電気的に接続され、他方の端部が外部電源に電気的に接続可能に構成される電源コード１３１と、を備える。本実施形態で、回路部１３２は、本体部の内部に設けられる回路である。そのため、電源コード１３１の他方の端部が外部電源に電気的に接続されると、電源コード１３１及び回路部１３２を介して各接続部１２が外部電源に電気的に接続される。
【００４０】
図３に示すように、電源コード１３１は、一端が回路部１３２に電気的に接続され、他端が外部電源に電気的に接続可能に構成される索状体である。具体的に、電源コード１３１は、一端側が本体部１１の内部で回路部１３２と電気的に接続されている。図３に示すように、電源コード１３１は、本体部１１の内部から、土台底部２０に形成された電源孔２２２ａを通って外部に連通している。具体的に、電源コード１３１は、土台底部２０に形成された凹部２２の凹部上底部２２２から下向きに延設される。本実施形態で、電源孔２２２ａは、土台部２の軸心と重なるように形成されているので、電源コード１３１は、土台部２の軸心から下向きに延設される。
【００４１】
図２に示すように、溝塞ぎ部５は、コード溝部２１３を塞ぐことができるよう構成されている。本実施形態において、溝塞ぎ部５は、コード溝部２１３に着脱可能な板状体である。また、溝塞ぎ部５は、コード溝部２１３に嵌合可能な大きさである。即ち、溝塞ぎ部５は、幅がコード溝部２１３の周方向の長さと略同一で、厚みがコード溝部２１３の上下方向の深さと略同一である板状体である。さらに、溝塞ぎ部５は、コード溝部２１３に取り付けられた状態で、コード溝部２１３を塞ぐことができるよう構成されている。
【００４２】
上記のような構成の縦型電気接続機器１は、載置対象である机などに本体部１１を載置して使用される。
【００４３】
図５に示すように、縦型電気接続機器１は、載置対象である複数の机Ｔ１、Ｔ２の双方に本体部１１がまたがるように配置される。具体的には、載置対象である机Ｔ１、Ｔ２の間に形成された上下に貫通した隙間Ｓを覆うように本体部１１を載置対象に載置する。本体部１１が隙間を覆うように載置された状態のとき、載置対象の机Ｔ１、Ｔ２の下方に電源コード１３１を伸ばすことができる。具体的に、電源コード１３１は、凹部上底部２２２の電源孔２２２ａから下向きに延設され、そのまま下方に伸びることで、載置対象の下方に伸びる。
【００４４】
また、図５に示すように、縦型電気接続機器１を複数の机Ｔ１、Ｔ２の双方に本体部１１がまたがるように配置する場合に、足部４を足部取付部４２に沿って摺動させて、土台部２の外縁から径外側に突出した状態とすることができる。例えば、複数の机Ｔ１、Ｔ２の間の隙間Ｓの幅が広く、土台部２の幅では、安定した状態で複数の机Ｔ１、Ｔ２に本体部１１をまたがせることができない場合に、足部４を突出する状態Ｊ１とし、本体底面１１ａの幅を広くすることができる。
【００４５】
さらに、足部４の土台部２の外縁（大径部の外縁）からの突出量は、複数段階で切り替えることができる。本実施形態では、係合突起部４１１が係合する突起部２１１１を変えることで、足部４の土台部２の外縁（大径部の外縁）突出量を変えることができる。
【００４６】
また、縦型電気接続機器１は、電源コード１３１を径外方向に向かって伸ばすこともできる。具体的には、図１及び図３に示すように、電源コード１３１をコード溝部２１３に沿って這わせることで、本体部１１と載置対象との間に電源コード１３１を這わせることができる。本体部１１と載置対象の間を電源コード１３１が這うことで、例えば、載置平面２Ａと対置対象が面同士で当接した状態とできるので、安定した状態で縦型電気接続機器１を使用することができる。
【００４７】
このように、本実施形態にかかる縦型電気接続機器１によれば、電源コード１３１が本体底面１１ａの凹部２２の上側の底から下向きに延設されるので、電源コード１３１を本体部１１の真下へと伸ばすことができる。よって、机と机の間に形成される隙間や机に形成された穴など、縦型電気接続機器１を載置する載置対象の上下方向に貫通した空間を覆うように本体部１１を載置することで、載置対象の下方に電源コード１３１を伸ばすことができるため、電源コード１３１が邪魔になりづらくなる。
【００４８】
また、平面部２１に平面（載置平面２Ａ）及びコード溝部２１３が形成されるので、本体部１１を平面（載置平面２Ａ）で立たせ、コード溝部２１３に電源コード１３１を通すことで、電源コード１３１を本体部１１の真下に伸ばす態様のほかに、平面（載置平面２Ａ）と平行な方向にも伸ばすことができる。よって、電源コード１３１を本体部１１の下に伸ばす場合でも平面（載置平面２Ａ）と平行な方向に伸ばす場合でも、安定した状態で縦型電気接続機器１を使用することができる。
【００４９】
さらに、土台部２は、本体底面１１ａの外縁から径外方向に突設される足部４を備えるので、本体底面１１ａの幅を広くすることができ、机と机の間隔が広い場合や、机に形成された穴の径が大きい場合にも、足部４によって本体部１１を支えることができる。よって、本体部１１を安定した状態で載置対象に載置することができる。
【００５０】
また、土台部２には、大径部及び足部４が設けられるので、本体部１１の底の径方向の幅を大径部によって広くし、足部４によってさらに広くすることができるため、本体部１１を安定した状態で載置対象に載置することができる。
【００５１】
さらに、足部４の裏面には、滑り止め部４３が設けられるので、接続部１２に電気機器のプラグなどを挿し込み際に、突出状態の足部４がずれて、突出状態の足部４が不意に後退することを防止できるため、安定した状態で、本体部１１を載置対象に載置することができる。
【００５２】
また、足部４は、足部４の径方向外側の部分が、土台部２の外縁（大径部の外縁）から突出する状態Ｊ１と、土台部２の外縁よりも内側に退避する状態Ｊ２と、を切り替え可能に構成されるので、足部４を突出させる必要のある時のみ足部４を突出させ、足部４を突出させる必要のないときは、足部４を退避させることができる。よって、足部４が邪魔になることを防止できる。
【００５３】
さらに、土台部２には、足部４が径方向内側及び外側に摺動可能な足部取付溝２１０が形成され、足部取付溝２１０には、溝の内方に向かって突出する突起部２１１１が径方向に離隔して複数備えられ、足部４には、突起部２１１１に係合可能な係合突起部４１１が備えられる。そのため、係合突起部４１１が係合する突起部２１１１を変えることで、足部４が土台部２の外縁（大径部の外縁）から突出する量を複数段階で調節できるため、足部４を必要な量だけ突出させることができる。
【００５４】
また、土台部２には、溝塞ぎ部５が設けられ、溝塞ぎ部５は、コード溝部２１３を塞ぐことができるよう構成されるので、コード溝部２１３を溝塞ぎ部５で塞ぐことができ、電源コード１３１を載置対象の下方に伸ばす場合に、コード溝部２１３が目立つことで、美観を損ねることを防止できる。
【００５５】
さらに、土台部２の底には、長手方向の一端側の幅が広く、他端側の幅が狭い長孔であるねじ固定穴２１５が形成されるので、長手方向一端側の幅未満かつ他端側の幅より大きいねじ頭を備える固定ねじ（図示しない）を用いて、本体部１１を固定することができる。即ち、固定ねじを載置対象に螺合し、螺合した固定ねじのねじ頭をねじ固定穴２１５の長手方向一端側に挿通し、固定ねじが、ねじ固定穴２１５の長手方向他端側に相対移動するように、本体部１１を移動させると、固定ねじがねじ固定穴２１５に係止して、本体部１１が載置対象に固定される。
【００５６】
また、足部４には、径方向の外側にねじを挿通可能なねじ挿通孔４１ａが形成されるので、足部４を土台部２の縁から突出させた状態で、ねじをねじ挿通孔４１ａに挿通し、載置対象に螺合することで、本体部１１を載置対象に固定できる。
【００５７】
さらに、土台部２には、溝塞ぎ部５を着脱可能な保持溝２１４が形成されるので、溝塞ぎ部５を使用してコード溝部２１３を塞がないときは、保持溝２１４に溝塞ぎ部５を装着して、保持することができる。
【００５８】
以上、本発明の実施形態について一例を挙げて説明したが、本発明は前記実施形態に限定されるものではなく、本発明の要旨を逸脱しない範囲内において種々の変更を加えることができる。
【００５９】
例えば、凹部２２は、本体底面１１ａの中央部分に形成される略円形の窪みであるとして説明したが、このような構成に限らず、本体底面１１ａの中央部分に形成される、例えば、三角形状や、四角形状の窪みであってもよいし、本体底面１１ａの外縁部分に形成される切り欠きとして形成されていてもよい。また、半球状の窪み面として形成することもできる。
【００６０】
また、本体部１１は、円柱形状であるとして説明したが、四角柱や六角柱などの多角柱としてもよいし、錐体など柱状でなくてもよい。また、例えば、縦や横の寸法が高さ寸法よりも大きい扁平形状とすることもできる。
【００６１】
さらに、土台部２は、底側が径台となるスカート形状であり、土台部２全体が、接続本体部３の外径よりも外径が大きい大径部であるとして説明したが、これに限らず、土台部２は、接続本体部３に対して径外側に大きくなる段部としての大径部を備える構成としてもよいし、外周の一部が径外側に突出する大径部である構成としてもよい。
【００６２】
また、接続部１２は、コンセント１２１及びＵＳＢポート１２２を備える構成であるとして説明したが、この構成に限らず、コンセント１２１又はＵＳＢポート１２２のいずれか一方のみを備える構成としてもよいし、コンセント１２１又はＵＳＢポート１２２以外のソケットを備える構成としてもよい。
【００６３】
また、接続部１２は、縦方向に４段となる配列であるとして説明したが、この構成に限らず、縦方向に１段から３段の配列や、縦方向に５段以上の配列であってもよい。
【００６４】
さらに、溝塞ぎ部５は、コード溝部２１３に着脱可能な板状体であるとして説明したが、溝塞ぎ部５は、コード溝部を塞ぐことができる構成であればよく、例えば、コード溝部２１３に設けられる蓋体であってもよい。
【００６５】
また、足部４は、足部取付溝２１０に沿って摺動して、土台部２の外縁（大径部の外縁）から径方向に出退可能な構成であるとして説明したが、このような構成に限らず、大径部の外縁から常に突出した状態となる構成としてもよいし、回転などの摺動以外の方法によって、土台部２の外縁から出退可能な構成としてもよい。或いは、足部４は、本体部１１に対して着脱可能な構成としてもよい。
【００６６】
さらに、足部４は、４つ備えられるとして説明したが、この構成に限らず、足部４は、３つ以上備えられていればよい。或いは、足部４はなくてもよい。
【００６７】
また、縦型電気接続機器１は、机と机の間に載置されるとして説明したが、テレビ台や、パソコンラックなどの、電源コード１３１を挿通可能な穴が形成されている載置対象に載置して使用することもできる。
【符号の説明】
【００６８】
１…縦型電気接続機器、１１…本体部、１１ａ…本体底面、１１ｂ…本体側面、１２…接続部、１２１…コンセント、１２２…ＵＳＢポート、１３…給電手段、１３１…電源コード、２…土台部、２Ａ…載置平面、２０…土台底部、２１…平面部、２１０…足部取付溝、２１１…摺動壁、２１１１…突起部、２１２…足部係止部、２１２ａ…足部取付孔、２１２１…足部係止壁、２１２２…足部押え壁、２１３…コード溝部、２１４…保持溝、２１５…ねじ固定穴、２１５ａ…大穴部、２１５ｂ…小穴部、２２…凹部、２２Ｓ…コード移動空間、２２１…凹部側面部、２２２…凹部上底部、２２２ａ…電源孔、２２３…凹部連結部、２３…土台側面部、２３ａ…足部用切り欠き、２３ｂ…コード用切り欠き、３…接続本体部、３ａ…接続孔、４…足部、４１…足部本体、４１ａ…ねじ挿通孔、４１１…係合突起部、４２…足部取付部、４２１…軸部、４２２…抜け止め部、４３…滑り止め部、４３ａ…滑り止めねじ穴、４３ｂ…底面、５…溝塞ぎ部、Ｔ１・Ｔ２…机、Ｊ１…突出する状態、Ｊ２…退避する状態
【図１】
0006975821.tif 000002
【図２】
0006975821.tif 000003
【図３】
0006975821.tif 000004
【図４】
0006975821.tif 000005
【図５】
0006975821.tif 000006